(57)【特許請求の範囲】
【請求項１】
内容物を収納する容器本体と、
前記容器本体との間に密閉空間を有するように、前記容器本体の外側面に接合された密閉部材と、
を備え、
前記密閉部材が接合された前記外側面において、前記密閉部材により囲まれた領域の面積は、該外側面の面積よりも小さく、
前記密閉空間は、複数であり、
前記密閉部材は、その全周にわたって前記容器本体の前記外側面に接合された全周接合部と、該全周接合部により囲まれた領域内に配置されると共に、隣接する前記密閉空間同士を仕切るように前記外側面に接合された仕切り接合部とを有する収納容器。
【請求項２】
前記仕切り接合部の接合強度は、前記全周接合部の接合強度よりも小さい請求項１に記載の収納容器。
【請求項３】
前記容器本体は複数の外側面を有し、
前記容器本体の全ての外側面には、前記密閉部材がそれぞれ接合されている請求項１又は２に記載の収納容器。
【請求項４】
前記密閉空間は滅菌状態となっている請求項１〜３のいずれか一項に記載の収納容器。
【請求項５】
前記密閉空間に含まれるエンドトキシン濃度が０．５ＥＵ／ｍＬ以下である請求項１〜４のいずれか一項に記載の収納容器。
【請求項６】
前記密閉空間は、不活性ガス雰囲気である請求項１〜５のいずれか一項に記載の収納容器。
【請求項７】
前記密閉部材の外側面には、前記容器本体に収納される内容物に関する情報を表示する情報表示部が設けられている請求項１〜６のいずれか一項に記載の収納容器。
【請求項８】
前記情報表示部は、前記容器本体に収納される内容物に関する情報が表示されたラベルである請求項７に記載の収納容器。
【請求項９】
前記容器本体には、内部に前記内容物を充填するための充填部材が設けられている請求項１〜８のいずれか一項に記載の収納容器。
【請求項１０】
前記密閉部材は、前記容器本体の前記外側面に接合された第１密閉部材と、該第１密閉部材を覆うように前記外側面に接合された第２密閉部材とを有する請求項１〜９のいずれか一項に記載の収納容器。
【発明の詳細な説明】
【技術分野】
【０００１】
本開示の実施形態は、液体又は粉体からなる内容物を収納する収納容器に関する。
【背景技術】
【０００２】
従来、液体又は粉体からなる内容物を収納する収納容器として、例えば特許文献１には、細胞懸濁液を収納するための内袋と、該内袋と接触する部分を残し周縁部がヒートシールされた外袋とを備えた収納容器が開示されている。このように構成された収納容器では、内袋の外面と外袋の内面によって囲まれた空間を滅菌状態の密閉空間とすることで、収納された細胞懸濁液を滅菌状態のまま維持することができる。
【先行技術文献】
【特許文献】
【０００３】
【特許文献１】国際公開第２０１３／１７５９５６号
【発明の概要】
【発明が解決しようとする課題】
【０００４】
しかし、上記特許文献に記載の収納容器では、収納容器への衝撃を緩和する対策等が講じられていないため、大きな衝撃を受ける際に内袋及び外袋が破損し、内容物が外部に漏れてしまうおそれがあった。
【０００５】
本開示の実施形態は、上記の点に鑑みてなされたものであり、容器破損防止機能及び内容物が漏れた際の仮保存機能をもつ収納容器を提供することを目的とする。
【課題を解決するための手段】
【０００６】
本開示の１実施形態に係る収納容器は、内容物を収納する容器本体と、前記容器本体との間に密閉空間を有するように、前記容器本体の外側面に接合された密閉部材と、を備え、前記密閉部材が接合された前記外側面において、前記密閉部材により囲まれた領域の面積は、該外側面の面積よりも小さいことを特徴としている。
【０００７】
本開示の１実施形態に係る収納容器において、前記密閉空間は、複数であることが好適である。
【０００８】
本開示の１実施形態に係る収納容器において、前記密閉部材は、その全周にわたって前記容器本体の前記外側面に接合された全周接合部と、該全周接合部により囲まれた領域内に配置されると共に、隣接する前記密閉空間同士を仕切るように前記外側面に接合された仕切り接合部とを有することが好適である。
【０００９】
また、本開示の１実施形態に係る収納容器において、前記仕切り接合部の接合強度は、前記全周接合部の接合強度よりも小さいことが好適である。
【００１０】
また、本開示の１実施形態に係る収納容器において、前記容器本体は複数の外側面を有し、前記容器本体の全ての外側面には、前記密閉部材がそれぞれ接合されていることが好適である。
【００１１】
また、本開示の１実施形態に係る収納容器において、前記密閉空間は滅菌状態となっていることが好適である。
【００１２】
また、本開示の１実施形態に係る収納容器において、前記密閉空間に含まれるエンドトキシン濃度が０．５ＥＵ／ｍＬ以下であることが好適である。
【００１３】
また、本開示の１実施形態に係る収納容器において、前記密閉空間は、不活性ガス雰囲気であることが好適である。
【００１４】
また、本開示の１実施形態に係る収納容器において、前記密閉部材の外側面には、前記容器本体に収納される内容物に関する情報を表示する情報表示部が設けられていることが好適である。
【００１５】
また、本開示の１実施形態に係る収納容器において、前記情報表示部は、前記容器本体に収納される内容物に関する情報が表示されたラベルであることが好適である。
【００１６】
また、本開示の１実施形態に係る収納容器において、前記容器本体には、内部に前記内容物を充填するための充填部材が更に設けられていることが好適である。
【００１７】
また、本開示の１実施形態に係る収納容器において、前記密閉部材は、前記容器本体の前記外側面に接合された第１密閉部材と、該第１密閉部材を覆うように前記外側面に接合された第２密閉部材とを有することが好適である。
【発明の効果】
【００１８】
本開示によれば、容器破損防止機能及び内容物が漏れた際の仮保存機能をもつ収納容器を提供することができる。
【図面の簡単な説明】
【００１９】
【図１】（ａ）は第１実施形態に係る収納容器を示す正面図であり、（ｂ）は（ａ）のＡ−Ａ線に沿う断面図である。
【図２】第１実施形態に係る収納容器の製造方法を説明するための模式図である。
【図３】（ａ）は第２実施形態に係る収納容器を示す正面図であり、（ｂ）は（ａ）のＢ−Ｂ線に沿う断面図である。
【図４】（ａ）は第３実施形態に係る収納容器を示す正面図であり、（ｂ）は（ａ）のＣ−Ｃ線に沿う断面図である。
【図５】第４実施形態に係る収納容器を示す正面図である。
【図６】第５実施形態に係る収納容器を示す正面図である。
【図７】第６実施形態に係る収納容器を示す正面図である。
【発明を実施するための形態】
【００２０】
以下、図面を参照して本発明に係る収納容器の実施形態について説明する。図面の説明において同一の要素には同一符号を付し、重複する説明は省略する。
【００２１】
＜第１実施形態＞
図１（ａ）は第１実施形態に係る収納容器を示す正面図であり、図１（ｂ）は図１（ａ）のＡ−Ａ線に沿う断面図である。本実施形態の収納容器１は、例えば液体の医療医薬品（内容物Ｔ）を収納するために用いられる軟質容器であり、袋状に形成されて第１外側面１０Ｌと第２外側面１０Ｒとを有する容器本体１０と、該容器本体１０の第１外側面１０Ｌとの間に密閉空間Ｓ１を有するように該第１外側面１０Ｌに接合された密閉部材１１と、第２外側面１０Ｒとの間に密閉空間Ｓ１を有するように該第２外側面１０Ｒに接合された密閉部材１２と、を備えている。
【００２２】
容器本体１０は、例えば同じ大きさを有する矩形状の透明な樹脂シートを２枚重ねて、周縁部同士を四周にわたりヒートシール（熱溶着ともいう）することによって形成されている。上述の樹脂シートに用いられる樹脂材料としては、例えば内容物Ｔに対して低吸着性及び低溶出性を有するポリエチレン（ＨＤＰＥ）、ポリメチルメタクリレート（ＰＭＭＡ）、ポリカーボネート（ＰＣ）、ポリスチレン（ＰＳ）、ポリエチレンテレフタレート（ＰＥＴ）、ポリプロプレン（ＰＰ）、ポリエチレン（ＰＥ）、ポリエチレンナフタレート（ＰＥＮ）、シクロオレフィンポリマー（ＣＯＰ）、シクロオレフィンコポリマー（ＣＯＣ）、ポリアクリロニトリル（ＰＡＮ）などが挙げられる。
【００２３】
容器本体１０の内部には、内容物Ｔが収納されている。ここで、内容物Ｔとしては、生理食塩水等の電解質輸液、ブドウ糖等の糖質注射液、血液製剤、抗生物質、抗体等の蛋白質性医薬品、低分子蛋白質、ホルモン等のペプチド性医薬品、核酸医薬品、細胞医薬品、各種感染症を予防するワクチン、ステロイド剤、インスリン、抗がん剤、蛋白質分解酵素阻害剤、鎮痛剤、解熱鎮痛消炎剤、麻酔剤、脂肪乳剤、血圧降下剤、血管拡張剤、ヘパリン塩化ナトリウムや乳酸カリウム等の電解質補正用注射液、ビタミン剤、造影剤等が挙げられる。
【００２４】
密閉部材１１は容器本体１０の第１外側面１０Ｌ、密閉部材１２は容器本体１０の第２外側面１０Ｒにそれぞれ配置されている。密閉部材１１と密閉部材１２との構造が同じであるため、以下においては密閉部材１１のみを説明する。具体的には、密閉部材１１は、矩形状の透明な樹脂フィルムからなり、その全周にわたって第１外側面１０Ｌにヒートシールされている。これにより、密閉部材１１の周縁部に沿って、全周シール部１１ａが形成されている。樹脂フィルムは薄膜状を呈しており、それに用いられる材料は、容器本体１０に用いられる樹脂材料と同じでも良く、異なっても良い。
【００２５】
密閉部材１１がヒートシールされた第１外側面１０Ｌにおいて、密閉部材１１により囲まれた領域（言い換えれば、全周シール部１１ａにより囲まれた領域）の面積は、第１外側面１０Ｌの面積よりも小さくなっている。そして、全周シール部１１ａを除き、密閉部材１１の他の部分は容器本体１０の第１外側面１０Ｌに接合されずに、第１外側面１０Ｌに対し遊離している。
【００２６】
密閉部材１１と第１外側面１０Ｌとの間には、密閉空間Ｓ１が形成されている。密閉空間Ｓ１は、正面視したときに矩形状を呈し（図１（ａ）参照）、断面視したときに中央から両端にいくにつれ細くなる三日月状を呈している。なお、上述した密閉空間Ｓ１の形状は、あくまでも容器本体１０の内部に内容物を収納させた状態での形状である。
【００２７】
密閉空間Ｓ１は、滅菌処理が施されているので、滅菌状態となっている。密閉空間Ｓ１に含まれるエンドトキシン濃度が０．５ＥＵ／ｍＬ以下であることが好ましい。これは、内容物Ｔが受精卵の培地である場合に、妊娠率への悪影響を与えないことを考慮し設定されたものである。また、エンドトキシン濃度の下限値を設けていないが、少なければ少ないほど良いことはいうまでもない。なお、エンドトキシン濃度の測定は、例えばエンドトキシン測定機器（例えば和光純薬工業株式会社製ＥＴ６０００）を用いて行われる。また、密閉空間Ｓ１は、窒素やアルゴン等の不活性ガス雰囲気であることが好ましい。
【００２８】
このように構成された収納容器１は、例えば図２に示す方法で作製される。まず、矩形状の樹脂シート１３及び樹脂シート１４を用意し、樹脂シート１３の片側に密閉部材１１、樹脂シート１４の片側に密閉部材１２をそれぞれヒートシールで接合させる。次に、樹脂シート１３及び樹脂シート１４の密閉部材１１，１２が接合されていない側面同士を向い合わせるように、これらの樹脂シートを重ねて、４対の周縁部同士のうちの３対をヒートシールで接合させる（すなわち、３方シールする）。
【００２９】
続いて、残った周縁部（ヒートシールされていない周縁部）から内容物Ｔを適量に充填し、その後、残った周縁部同士をヒートシールで接合させる。これによって、収納容器１が作製される。
【００３０】
本実施形態の収納容器１では、容器本体１０の第１外側面１０Ｌに密閉部材１１、第２外側面１０Ｒに密閉部材１２がそれぞれ配置され、第１外側面１０Ｌと密閉部材１１との間、第２外側面１０Ｒと密閉部材１２との間に密閉空間Ｓ１がそれぞれ形成されている。そして、密閉空間Ｓ１はクッション性を有するので、収納容器１への衝撃を緩和することができ、収納容器１の破損を防止することができる。
【００３１】
加えて、密閉空間Ｓ１が形成されることによって、仮に第１外側面１０Ｌ又は第２外側面１０Ｒのうち、密閉空間Ｓ１が形成された部分が破れた場合には、容器本体１０に収納された内容物Ｔが密閉空間Ｓ１に入り込み、そこに留まって仮保存されるので、外部への漏れを防止できる。更に、密閉空間Ｓ１は滅菌状態となっており、しかも、密閉空間Ｓ１に含まれるエンドトキシン濃度が０．５ＥＵ／ｍＬ以下であるので、密閉空間Ｓ１に入り込んだ内容物Ｔが汚染されることを防止でき、仮保存された内容物Ｔだけではなく、容器本体１０に収納された内容物Ｔ全体の衛生性及び安全性を保つことができる。その結果、内容物Ｔをそのまま利用することが可能であり、汚染等の原因による内容物Ｔの廃棄を防止できる。また、該密閉空間Ｓ１が不活性ガス雰囲気である場合、内容物Ｔの保存安定性を高める効果を奏する。
【００３２】
更に、容器本体１０の第１外側面１０Ｌ、または第２外側面１０Ｒにおいて、密閉部材１１、または密閉部材１２により囲まれた領域の面積が第１外側面１０Ｌ、または第２外側面１０Ｒの面積より小さいので、上述の容器破損防止機能及び内容物が漏れた際の仮保存機能を確保しつつ、大きな面積を囲む場合と比べて密閉空間Ｓ１の形成による収納容器１大きさの増大を抑制する効果を期待できる。
【００３３】
また、容器に液体を充填した後の形状には、多くの場合膨らんだ部分や、シールによる角部や、充填のための充填部など、出っ張ったり引っ込んだりするような部分が生じやすく、そういう場所が輸送中や使用中に擦れて破れやすいなど、容器の部位ごとに損傷しやすい場所が生じる場合が多い。そのような損傷しやすい場所を中心に、容器本体１０の外側面（第１外側面１０Ｌ及び第２外側面１０Ｒ）において密閉部材１１，１２により囲まれた領域の面積が該外側面の面積より小さい部分を設けることで、容器の大きさの増大を抑制し、材料の省資源化を実現しつつ、容器破損防止機能及び内容物が漏れた際の仮保存機能を確保できる。
【００３４】
＜第２実施形態＞
図３（ａ）は第２実施形態に係る収納容器を示す正面図であり、図３（ｂ）は図３（ａ）のＢ−Ｂ線に沿う断面図である。本実施形態の収納容器２と第１実施形態との相違点は、容器本体１０の第１外側面１０Ｌと第２外側面１０Ｒにおいて密閉空間Ｓ２がそれぞれ複数形成されることである。その他の構成は第１実施形態と同様であるため、重複説明を省略する。
【００３５】
すなわち、容器本体１０の第１外側面１０Ｌには密閉部材１５、第２外側面１０Ｒには密閉部材１６がそれぞれ接合されている。密閉部材１５と第１外側面１０Ｌとの間、密閉部材１６と第２外側面１０Ｒとの間で、それぞれ複数の密閉空間Ｓ２が形成されている。例えば、図３（ａ）に示す第１外側面１０Ｌでは、密閉部材１５は、その全周にわたって第１外側面１０Ｌにヒートシールされた全周シール部１５ａに加えて、該全周シール部１５ａにより囲まれた領域内であって縦方向及び横方向に１箇所ずつで第１外側面１０Ｌにヒートシールされている。これによって、密閉部材１５と第１外側面１０Ｌとの間には、互いに独立した密閉空間Ｓ２が複数形成されている。
【００３６】
密閉部材１５は、第１実施形態の密閉部材１１と同様に矩形状の透明な樹脂フィルムからなっている。この密閉部材１５は、全周シール部１５ａに加えて、該全周シール部１５ａにより囲まれた領域内に配置されると共に、隣接する密閉空間Ｓ２同士を仕切るように第１外側面１０Ｌとヒートシールされた仕切りシール部１５ｂを有する。ここで、全周シール部１５ａは特許請求の範囲に記載の「全周接合部」、仕切りシール部１５ｂは特許請求の範囲に記載の「仕切り接合部」にそれぞれ相当するものである。
【００３７】
本実施形態では、仕切りシール部１５ｂと第１外側面１０Ｌとの接合強度は、全周シール部１５ａと第１外側面１０Ｌとの接合強度より小さくなっている。このような接合強度の違いは、例えばヒートシール時の温度と時間等を調整することによって行われる。なお、密閉部材１５と第１外側面１０Ｌとの間に形成された複数の密閉空間Ｓ２は、その大きさが同じであっても良く、異なっても良い。また、密閉空間Ｓ２の数が本実施形態の記載内容（４個）に限定されず、必要に応じて適宜に増減しても良い。
【００３８】
これらの複数の密閉空間Ｓ２は、例えば以下の方法で作製される。まず、矩形状の密閉部材１５を一枚用意し、その全周にわたって容器本体１０の第１外側面１０Ｌにヒートシールさせることで、１つ大きな密閉空間を形成する。このとき、全周シール部１５ａも形成される。次に、図３（ａ）に示すように、全周シール部１５ａにより囲まれた領域内において、密閉部材１５の全幅（縦方向）の中間位置及び全長（横方向）の中間位置で密閉部材１５を第１外側面１０Ｌにヒートシールさせる。これによって、先に形成された一つの密閉空間が独立した複数の密閉空間Ｓ２に仕切られることになる。
【００３９】
一方、密閉部材１６については、密閉部材１５と同様の構造を有するため、重複説明を省略する。
【００４０】
本実施形態の収納容器２は、上述の第１実施形態と同様な作用効果を得られるほか、更に以下の作用効果を得られる。すなわち、密閉空間Ｓ２は複数であり、互いに独立して形成されているため、仮に１箇所の密閉空間Ｓ２が破れても、他の密閉空間Ｓ２が影響されない。その結果、容器破損防止機能及び内容物が漏れた際の仮保存機能を更に高めることができる。
【００４１】
また、仕切りシール部１５ｂの接合強度が全周シール部１５ａの接合強度より小さいので、大きな衝撃を受けた際に、全周シール部１５ａと比べて仕切りシール部１５ｂが先に第１外側面１０Ｌから剥がれることが可能になっている。すなわち、本実施形態の収納容器２では、大きな衝撃を受けることを想定し、仕切りシール部１５ｂの接合状態を犠牲にし、全周シール部１５ａの接合状態を守る構造がとられている。これによって、全周シール部１５ａの剥がれに起因する密閉部材１５全体の剥がれを防止することができるので、容器破損防止機能及び内容物が漏れた際の仮保存機能を維持する効果を高めることができる。
【００４２】
なお、仮に仕切りシール部１５ｂが衝撃によって剥がれた場合には、その場所の密閉空間Ｓ２の外観に変化が生じる。例えば、周辺と比べて萎むので、利用者はその外観の変化で剥がれたことを識別することができ、内容物Ｔを別の収納容器２に移し替えたり、他の対策を取ったりすることができる。そして、仕切りシール部１５ｂの剥がれをより識別しやすくするためには、例えば仕切りシール部１５ｂの接合場所に色や印等を付けることが好ましい。
【００４３】
＜第３実施形態＞
図４（ａ）は第３実施形態に係る収納容器を示す正面図であり、図４（ｂ）は図３（ａ）のＣ−Ｃ線に沿う断面図である。本実施形態の収納容器３と第２実施形態との相違点は、密閉部材１５，１６がその外側に配置された別の密閉部材１７，１８に覆われていることである。その他の構成は第２実施形態と同様であるため、重複説明を省略する。
【００４４】
具体的には、容器本体１０の第１外側面１０Ｌには、密閉部材１５に加えて、更に密閉部材１７が接合されている。密閉部材１７は、密閉部材１５を覆うように該密閉部材１５の外側に配置されている。ここで、密閉部材１５は特許請求の範囲に記載の「第１密閉部材」、密閉部材１７は特許請求の範囲に記載の「第２密閉部材」にそれぞれ相当するものである。
【００４５】
密閉部材１７は、密閉部材１５と同じ樹脂フィルムからなり、矩形状に形成されている。密閉部材１７は、その全周にわたって容器本体１０の第１外側面１０Ｌにヒートシールされることで、該第１外側面１０Ｌに接合されている。これにより、密閉部材１７の周縁部に沿って、全周シール部１７ａが形成されている。そして、密閉部材１７と第１外側面１０Ｌとの間には、密閉空間Ｓ３が形成され、密閉部材１５はその密閉空間Ｓ３に納められている。第１外側面１０Ｌにおいて、密閉部材１７により囲まれた領域（言い換えれば、全周シール部１７ａにより囲まれた領域）の面積は、第１外側面１０Ｌの面積よりも小さい。なお、容器本体１０の第２外側面１０Ｒ側に接合された密閉部材１８については、密閉部材１７と同様の構造を有するため、重複説明を省略する。
【００４６】
このような密閉空間Ｓ３は、上述した方法で密閉部材１５を用いて複数の密閉空間Ｓ２を先に形成し、その後、外側から密閉部材１５を覆うように密閉部材１７を配置させ、密閉部材１７の全周にわたって第１外側面１０Ｌにヒートシールすることにより作製することができる。
【００４７】
本実施形態の収納容器３は、上述の第２実施形態と同様な作用効果を得られるほか、密閉部材１５が更に密閉部材１７に覆われているので、容器破損防止機能及び内容物が漏れた際の仮保存機能を一層高めることができる。なお、本実施形態では、第２実施形態に対して密閉部材１５，１６（第１密閉部材）を覆う密閉部材１７，１８（第２密閉部材）を配置する例を説明したが、第１実施形態に対しても同様に密閉部材１１，１２を覆う第２密閉部材を配置すれば、同様な作用効果が得られることはいうまでもない。
【００４８】
＜第４実施形態＞
図５は第４実施形態に係る収納容器を示す正面図である。本実施形態の収納容器４と第１実施形態との相違点は、容器本体１０に内容物Ｔを充填するための充填部材２０が更に設けられることである。その他の構成は第１実施形態と同様であるため、重複説明を省略する。
【００４９】
具体的には、容器本体１０の４つの周縁部のうちの一つには、容器本体１０の内部空間と外部とを連通し、容器本体１０の内部に内容物Ｔを充填するための充填部材２０が設けられている。充填部材２０は、樹脂材料によって筒状に形成されている。その一端部は容器本体１０に内挿されて周縁部同士に挟持され、他端部は外方に突出し、密閉蓋２１によって塞がれている。
【００５０】
本実施形態の収納容器４は、上述の第１実施形態と同様な作用効果を得られるほか、更に以下の作用効果を得られる。すなわち、容器本体１０に充填部材２０及び密閉蓋２１が設けられているので、上述の容器本体１０を構成する樹脂シート１３，１４を４方ヒートシールした後であっても、該充填部材２０を介して容器本体１０の内部に内容物Ｔを容易に充填し、又は取り出すことができる。
【００５１】
＜第５実施形態＞
図６は第５実施形態に係る収納容器を示す正面図である。本実施形態の収納容器５と第１実施形態との相違点は、情報表示部１９が更に設けられることである。その他の構成は第１実施形態と同様であるため、重複説明を省略する。
【００５２】
情報表示部１９は、容器本体１０に収納された内容物Ｔに関する情報を表示するものであり、密閉部材１１の外側に設けられている。内容物Ｔに関する情報として、例えば内容物Ｔの名称、成分、注意事項等が挙げられる。また、情報表示部１９の形態としては、文字等が印字されたラベルを貼り付けることで形成されても良く、或いは密閉部材１１に直接印字することで形成されても良い。更に、情報表示部１９は、文字で情報を示すことに代えて、ＱＲコード（登録商標）やＩＣタグ等を付けても良い。本実施形態では、情報表示部１９には、ＱＲコードが貼り付けられている。
【００５３】
本実施形態の収納容器５は、上述の第１実施形態と同様な作用効果を得られるほか、更にＱＲコードを有する情報表示部１９が設けられているので、利用者がカメラ付きの携帯電話、スマートフォン、タブレット等の読取機器を用いて内容物Ｔの関連情報を容易に入手することができる。また、情報表示部１９は容器本体１０に直接貼り付けられておらず、密閉部材１１の外側に貼り付けられるので、情報表示部１９が密閉空間Ｓ１内に貼られている場合と異なり、容器本体１０が破れた際に漏れた内容物Ｔに起因して情報表示部１９が汚れたり、滲んだりすることを防止できる。この場合には、情報表示部１９に内容物Ｔに対して低溶出性及び低吸着性を有する材料を用いることが好ましい。なお、情報表示部１９は、密閉部材１１の外側及び密閉部材１２の外側のうちのいずれか一方に設けられても良く、双方にそれぞれ設けられても良い。
【００５４】
＜第６実施形態＞
図７は第６実施形態に係る収納容器を示す正面図である。本実施形態の収納容器６と第３実施形態との相違点は、密閉部材１５及び密閉部材１７に情報表示部１９がそれぞれ設けられることである。その他の構成は第３実施形態と同様であるため、重複説明を省略する。
【００５５】
具体的には、容器本体１０の第１外側面１０Ｌに接合された密閉部材１５において、複数の密閉空間Ｓ２のうちの一つには、ＱＲコードを有する情報表示部１９が貼り付けられている。更に、密閉部材１５を覆う密閉部材１７にも、ＱＲコードを有する情報表示部１９が貼り付けられている。
【００５６】
本実施形態の収納容器６は、上述の第３実施形態と同様な作用効果を得られるほか、更にＱＲコードを有する情報表示部１９が設けられているので、利用者がカメラ付きの携帯電話、スマートフォン、タブレット等の読取機器を用いて内容物Ｔの関連情報を容易に入手することができる。しかも、情報表示部１９が密閉部材１５と密閉部材１７にそれぞれ設けられるので、仮に破れや汚れによって片方の情報表示部１９のＱＲコードを読み取ることができない場合であっても、残りの情報表示部１９で情報を入手することができる。
【００５７】
以上、本発明の実施形態について詳述したが、本発明は、上記の実施形態に限定されるものではなく、特許請求の範囲に記載された本発明の精神を逸脱しない範囲で、種々の設計変更を行うことができるものである。例えば、上記の第２実施形態において、一枚の密閉部材を用いて複数の密閉空間を形成する例を挙げて説明したが、複数枚の密閉部材を用いてそれぞれ密閉空間を形成しても良い。また、密閉部材を容器本体に接合させる方法として、上述したヒートシールのほか、超音波溶着や接着剤を用いた接着等の方法であっても良い。更に、内容物Ｔとしては、上述した液体の医療医薬品のほか、醤油やたれ等の調味料、洗剤やシャンプーやなどの日用品、粉胡椒などの粉体であっても良い。
【００５８】
また、上記の実施形態において、容器本体１０の全ての外側面（すなわち、第１外側面１０Ｌ及び第２外側面１０Ｒ）に密閉部材がそれぞれ接合された例を説明したが、これに限らず、外側面の一部のみに密閉部材が接合されても良い。更に、密閉部材及び密閉空間の形状は上述した内容に限らず、円形状、楕円形状、矩形状以外の多角形状等であっても良い。また、上記の実施形態において、樹脂シートで作製された軟質容器を挙げて説明したが、本発明はペットボトルなどの各種容器にも適用される。
【００５９】
また、上述の各実施形態では、第１外側面１０Ｌ及び第２外側面１０Ｒの両側で同じ構造の密閉空間を設ける形態で説明してきたが、必要に応じて各実施形態を組み合わせることにより、第１外側面１０Ｌ及び第２外側面１０Ｒの両側で密閉空間の構造を異ならせても良い。更に、第４実施形態の充填部材２０の取付位置の変形例として、第１外側面１０Ｌ及び第２外側面１０Ｒのいずれかの外側面内の領域に取り付けても良い。すなわち、内容物Ｔの収納空間側から外方に突出して充填口が設けられても良い。また、上述した各実施形態では、容器本体１０が二つの外側面（第１外側面１０Ｌ及び第２外側面１０Ｒ）を有する例を説明したが、外側面の数が二つには限定されない。
【符号の説明】
【００６０】
１，２，３，４，５，６    収納容器
１０    容器本体
１０Ｌ    第１外側面
１０Ｒ    第２外側面
１１，１２，１５，１６，１７，１８    密閉部材
１１ａ，１２ａ，１５ａ，１７ａ    全周シール部
１５ｂ    仕切りシール部
１９    情報表示部
２０    充填部材
２１    密閉蓋
Ｓ１，Ｓ２，Ｓ３    密閉空間
Ｔ    内容物
【図１】
0006699359.tif 000002
【図２】
0006699359.tif 000003
【図３】
0006699359.tif 000004
【図４】
0006699359.tif 000005
【図５】
0006699359.tif 000006
【図６】
0006699359.tif 000007
【図７】
0006699359.tif 000008